(57)【要約】【課題】発売元を特定し、端末装置からでも数字選択式宝くじを購入できるシステムを実現する。【解決手段】ネットワーク４００を介して携帯端末装置１００からの数字選択式宝くじの購入を支援する宝くじ購入支援システムであって、携帯端末装置１００からのデータに基づいて数字選択式宝くじの購入支援処理を行う購入支援処理手段２１０と、数字選択式宝くじの発売元兼収益受取先となる自治体の位置に係る自治体位置データを記憶する位置記憶装置３００と、携帯端末装置１００からのデータに含まれる携帯端末装置１００の位置データに基づいて、自治体位置データを検索し、携帯端末装置１００が位置する自治体を特定する処理を行う位置特定処理手段２３０とを備えるものである。【選択図】図１
2014038493.tif 000002
【特許請求の範囲】
【請求項１】
ネットワークを介して端末装置からの数字選択式宝くじの購入を支援する宝くじ購入支援システムであって、
前記端末装置からのデータに基づいて前記数字選択式宝くじの購入支援処理を行う購入支援処理手段と、
前記数字選択式宝くじの発売元兼収益受取先となる自治体の位置に係る自治体位置データを記憶する位置記憶手段と、
前記端末装置からのデータに含まれる端末装置の位置データに基づいて、前記自治体位置データを検索し、前記端末装置が位置する自治体を特定する処理を行う位置特定処理手段と
を備えることを特徴とする宝くじ購入支援システム。
【請求項２】
前記購入支援処理手段は、前記数字選択式宝くじの購入確定前に、前記位置特定処理手段が特定した自治体に関するデータを前記端末装置に送る処理を行うことを特徴とする請求項１記載の宝くじ購入支援システム。
【請求項３】
予め購入者が購入を希望する自治体を記憶する記憶手段をさらに備え、前記購入支援処理手段は、購入を希望する自治体と前記端末装置が現在位置する自治体とが異なることを、前記数字選択式宝くじの購入確定前に端末装置に通知し、購入するか否かを選択させることを特徴とする請求項１または２に記載の宝くじ購入支援システム。
【請求項４】
前記購入支援処理手段は、前記位置特定処理手段が前記端末装置が位置する自治体を特定できなかったときには、前記数字選択式宝くじを購入できない旨を前記端末装置に送る処理を行うことを特徴とする請求項１から３のいずれかに記載の宝くじ購入支援システム。
【発明の詳細な説明】
【技術分野】
【０００１】
本発明は宝くじの購入を支援するシステムに関するものである。特に購入場所（販売場所）の特定に関するものである。
【背景技術】
【０００２】
現在、数字選択式全国自治宝くじ（以下、数字選択式宝くじという）が、宝くじ売り場、金融機関のＡＴＭ（Automatic Teller Machine：自動取引装置）等において販売されている。このような数字選択式宝くじは、例えば、購入者が、あらかじめ定められた桁、範囲内の任意の数字を選択（投票）して予想し、抽選の結果、数字の当たり具合により、相応の金額の支払いを受けるものである。
【０００３】
このような数字選択式宝くじを購入する場合、通常、上述した販売場所に出向かなければならず、購入意思のある者には不便である。そこで、電気通信回線（ネットワーク）を介して、コンピュータ、携帯端末装置等により、例えば購入用のサーバと通信しながら、購入のための処理を行うシステムが提案されている（例えば特許文献１参照）。
【先行技術文献】
【特許文献】
【０００４】
【特許文献１】特開２００１−２８２９５４号公報（図１）
【発明の概要】
【発明が解決しようとする課題】
【０００５】
ここで、数字選択式宝くじの販売による収益受取先は一律ではなく、通常、販売場所が所在する自治体が発売元兼収益受取先（以下、発売元という）となる。このため宝くじ売り場のように販売場所が固定していれば、発売元を特定しやすくなる。携帯端末装置等のように、宝くじ売り場等ではない移動可能な端末装置から購入できるシステム構成を実現するためにも、発売元を特定できるようにする必要がある。
【０００６】
そこで、発売元を特定し、携帯端末装置からでも数字選択式宝くじを購入できるシステムの実現が望まれていた。
【課題を解決するための手段】
【０００７】
本発明に係る宝くじ購入支援システムは、ネットワークを介して端末装置からの数字選択式宝くじの購入を支援する宝くじ購入支援システムであって、端末装置からのデータに基づいて数字選択式宝くじの購入支援処理を行う購入支援処理手段と、数字選択式宝くじの発売元兼収益受取先となる自治体の位置に係る自治体位置データを記憶する位置記憶手段と、端末装置からのデータに含まれる端末装置の位置データに基づいて、自治体位置データを検索し、端末装置が位置する自治体を特定する処理を行う位置特定処理手段とを備えるものである。
【発明の効果】
【０００８】
本発明の宝くじ購入支援システムによれば、位置が不特定の端末装置からの位置データに基づいて、位置特定処理手段が位置記憶装置に記憶された自治体位置データを検索して、端末装置が位置する自治体を特定するようにしたので、例えばネットワークを介して、端末装置から数字選択式宝くじを購入しようとする場合でも、発売元となる自治体を特定することができる。
【図面の簡単な説明】
【０００９】
【図１】本発明の実施の形態１に係る宝くじ購入支援システムの構成を表す図である。
【図２】位置記憶装置３００が記憶する自治体位置データの内容を示すイメージの一例を表す図である。
【図３】宝くじ購入支援システムに係る購入の流れを示す図である。
【図４】本発明の実施の形態２に係るシステムの処理を説明するための図である。
【図５】購入者に発売元となる自治体の確認を促すための画面の一例を示す図である。
【発明を実施するための形態】
【００１０】
実施の形態１．
図１は本発明の実施の形態１に係る宝くじ購入支援システムの構成を表す図である。本実施の形態における宝くじ購入支援システムは、ネットワーク（電気通信回線。例えば専用線、電話線、無線等も含む）４００を介して、例えば購入者が所有する携帯端末装置１００と購入支援装置２００との通信を行うことにより、購入者が直接、数字選択式宝くじを購入等できるシステムである。このとき、購入決定を行った時点における携帯端末装置１００の位置を判断し、数字選択式宝くじの発売元となる自治体として特定するものである。
【００１１】
図１において、購入者が所有する携帯端末装置１００は、携帯情報処理部１１０、携帯位置検出部１２０、携帯入力部１３０、携帯表示部１４０及び携帯通信部１５０を有している。携帯情報処理部１１０は、携帯位置検出部１２０、携帯入力部１３０、携帯通信部１５０から入力されるデータを処理し、各種情報となるデータや携帯表示部１４０に情報を表示させるための表示データを作成する。携帯位置検出部１２０は、例えばＧＰＳ（Grobal Positioning System ）に代表される装置で構成され、現在の位置（例えば緯度、経度）を検出する。ここでは、緯度及び経度のデータを位置データとして検出する。
【００１２】
携帯入力部１３０は、購入者が数字選択式宝くじを購入しようとする際、選択する数字等、必要なデータを入力するためのものである。携帯表示部１４０は、表示データに基づいて表示を行い、購入者に対して情報を提示するためのものである。携帯通信部１５０は、携帯情報処理部１１０とネットワーク４００との間の信号のやりとり（送受信）のインターフェースとなるものである。実際には、携帯端末装置１００は、無線による通信を行うため、携帯通信部１５０は、直接的にはネットワーク４００と接続した無線基地局（図示せず）との間で信号の送受信を行う。ここでは、携帯端末装置１００は購入支援装置２００との通信により数字選択式宝くじの購入を行うことから、以下、特に断らない限り、携帯端末装置１００（特に携帯情報処理部１１０）と購入支援装置２００との通信はネットワーク４００等を介して行われるものとして説明する。
【００１３】
購入支援装置２００は、携帯端末装置１００と通信を行うことにより、携帯端末装置１００からの数字選択式宝くじの購入要求に基づき、購入を支援する処理を行う装置であり、具体的にはコンピューター（サーバー）により実現される。購入支援装置２００は、例えば購入支援処理手段２１０、決済処理手段２２０、位置特定処理手段２３０、装置通信手段２４０及び購入記憶手段２５０を有している。購入支援処理手段２１０は、例えば携帯端末装置１００（携帯表示部１４０）にホームページ等として数字選択式宝くじ購入用の画面表示をさせるためのデータを含む信号を装置通信手段２４０に送信させる処理を行う。また、携帯端末装置１００から送られる数字選択式宝くじ購入のために必要なデータを処理し、数字選択式宝くじ購入の処理を行う。決済処理手段２２０は、数字選択式宝くじの購入に関して、特に決済に係る処理を行う。
【００１４】
位置特定処理手段２３０は、携帯端末装置１００から数字選択式宝くじ購入に必要なデータとして送られた位置データに基づいて、携帯端末装置１００の位置を特定（決定）する処理を行う。装置通信手段２４０は購入支援処理手段２１０とネットワーク４００との間の信号のやりとりのインターフェースとなるものである。また、購入記憶手段２５０は、例えば数字選択式宝くじ購入用の表示画面に係るデータ等、購入支援装置２００（購入支援処理手段２１０）が行う処理に必要なデータを一時的、長期的に記憶する。また、購入者を予めユーザーとして登録して購入者の固有データを記憶するようにしてもよい。その場合、購入者は購入支援装置２００にアクセスしてログインすることにより、過去の購入データや事前に登録しておいた購入のための情報（決済手段等）を再利用することが可能となる。
また、購入された数字選択式宝くじのデータは、選択された数字の組合せ、購入日時、購入時の位置情報、購入自治体の情報、購入金額が記憶される。また、購入時に購入者にログインさせて個人を特定することにより、購入者のＩＤや口座情報が記憶される。これにより、従来の数字選択式宝くじのように、当選時に自動的に口座に当選金が振り込まれるようにすることができる。また抽選後は当選の有無や等の区分、当選金額を記憶し、履歴として参照できるようにする。購入情報は、発売元の自治体毎に抽出され、各自治体への報告等にも利用される。
【００１５】
ここでは、処理に係る購入支援処理手段２１０、決済処理手段２２０、位置特定処理手段２３０を１つの購入支援装置２００として構成しているが、各処理手段をそれぞれ別の装置として構成するようにしてもよい。ここで、本実施の形態の購入支援装置２００に関しては、例えばＣＰＵ（Central Processing Unit ）を中心とするコンピュータ等のような処理装置で構成されているものとする。そして、購入支援処理手段２１０等が行う処理手順をあらかじめプログラム化したものを処理装置が実行し、そのプログラムに基づく処理を行うことで、購入支援処理を行う。このように、各処理手段はコンピュータ等のプログラムにより構成される。また、記憶手段はハードディスクやメモリ等を適宜利用し構成される。
【００１６】
図２は位置記憶装置３００が記憶する自治体位置データの内容を示すイメージの一例を表す図である。位置記憶装置３００は各自治体の位置に係るデータを自治体位置データとして記憶する。ここでは、図２に示すように、発売元となる自治体名のデータと自治体の位置の範囲を示す位置情報１〜ｎのデータとを関連づけて自治体位置データとする。位置情報１〜ｎに格納される各Ｘｎｎ、Ｙｎｎはそれぞれ所定範囲の緯度経度に対応する領域の情報であり、例えば地図上の矩形の範囲に対応している。これにより、携帯端末等の現在位置の緯度経度が分かれば現在位置の自治体が分かる。購入支援装置２００の位置特定処理手段２３０は、位置記憶装置３００が記憶する自治体位置データに対して検索処理を行うことにより、携帯端末装置１００が位置している自治体を特定（決定）する。
【００１７】
図３は宝くじ購入支援システムに係る購入の流れを示す図である。図３に基づいて、ネットワーク４００を利用した数字選択式宝くじ購入について、購入支援装置２００の購入支援に係る処理を中心に説明する。まず、購入支援装置２００（購入支援処理手段２１０）は、携帯端末装置１００から送られた指示に基づいて、購入用の画面表示をさせるためのデータを含む信号を送信する（図３（１））。携帯端末装置１００の携帯情報処理部１１０はデータを処理し、携帯表示部１４０に数字選択式宝くじ購入用の画面を表示させる。購入者は、表示画面に基づき、購入しようとする数字選択式宝くじの種類の選択、投票（選択する）する数字の入力等を携帯入力部１３０を介して行う。携帯情報処理部１１０は入力されたデータを処理する。そして、携帯端末装置１００（携帯通信部１５０）はデータを含む信号を送信する（図３（２））。購入支援装置２００（購入支援処理手段２１０）は、送られたデータに基づいて、購入に係る処理を行う（図３（３））。ここでは特に示していないが、入力内容等に応じ、購入支援装置２００からは複数の購入用画面に係るデータを含む信号を送信するようにしてもよい。そして、携帯端末装置１００からは画面に基づいて、購入に必要なデータを含む信号を複数回送るようにしてもよい。
【００１８】
そして、携帯端末装置１００から、最終的に購入を指示する信号を送信すると共に、携帯位置検出部１２０の検出に係る位置データを含む信号を送信する（図３（４））。購入支援装置２００では、また、位置特定処理手段２３０は、位置記憶装置３００の自治体位置データを検索し、携帯端末装置１００が位置している自治体を特定し（図３では自治体Ａとなる）、発売元が決まる（図３（５））。発売元が決まれば、決済処理手段２２０は決済処理を行う（図３（６））。以上のようにして、購入者は、ネットワーク４００を利用した数字選択式宝くじを購入することができる。
そして、購入された宝くじの情報は、購入記憶手段２５０に記憶される。すなわち、選択された数字の組合せ、購入日時、購入時の位置情報、購入自治体の情報がデータとして記憶される。また、購入時に購入者がログインする等により個人が特定できている場合は、さらに購入者のＩＤや口座情報がデータとして記憶される。また、購入者に対しては、購入通知がメール等で送られる。購入者は、購入した宝くじの情報を確認したい場合、購入通知を参照するか、購入支援装置２００にログイン等することにより購入履歴を参照することができる。
【００１９】
ここで、購入支援装置２００では、発売元が決まってから、決済処理手段２２０は決済処理を行うようにしている。例えば発売元となる自治体を特定することができないような場合は、購入する（販売する）ことができない旨の画面のデータを含む信号を携帯端末装置１００に送信するようにしてもよい。ここで、自治体を特定できない原因としては、例えば、購入を指示する信号と共に、何らかの原因により位置データを含む信号が送信されなかった場合がある。これには、携帯端末装置１００が携帯位置検出部１２０を有しておらず、位置データを含む信号が送信されなかった場合も含まれる。また、海外等からの購入要求により、自治体位置データと合致する位置データがなく、自治体を特定できない場合がある。
【００２０】
以上のように、本実施の形態のシステムによれば、購入支援装置２００の位置特定処理手段２３０と位置記憶装置３００とを備え、携帯端末装置１００から送られた位置データに基づいて、位置特定処理手段２３０が位置記憶装置３００に記憶された自治体位置データに基づいて携帯端末装置１００が位置する自治体を特定するようにしたので、携帯端末装置１００からネットワーク４００を介して、数字選択式宝くじを購入しようとする場合でも、発売元となる自治体を特定することができる。
【００２１】
実施の形態２．
図４は本発明の実施の形態２に係るシステムの処理を説明するための図である。上述した実施の形態１においては、特に示していないが、例えば、購入者が購入しようと思っている自治体がある場合がある。このとき、例えば購入者が移動中に、購入しようと思っている自治体から別の自治体に移動していることがあり得る。本実施の形態では、購入者が特定された自治体を発売元としてよいかどうかを、購入前に確認できるようにしたものである。
【００２２】
図５は購入者に発売元となる自治体の確認を促すための画面の一例を示す図である。ここでは、購入者は予め自分が数字選択式宝くじを購入したい自治体の情報を選択しておく。選択した自治体の情報は携帯端末内にたとえばｃｏｏｋｉｅを利用して保持するようにしてもよい。あるいは購入支援装置２００の購入記憶手段２５０に保持するようにし、購入支援装置２００にログイン後購入操作をさせるようにしてもよい。これにより購入者が予め選択した自治体と現在の自治体を比較することができる。
数字選択式宝くじの購入時の現在位置が予め選択した自治体と異なる場合は、図５のような確認画面を表示する。予め選択した自治体と一致する場合は、確認画面を表示しない。このように、購入者が発売元となる自治体を確認して決定することができるので、数字選択式宝くじの購入を希望する自治体を購入者自らが購入前に確認してから購入を確定することができ、意図しない自治体からの購入を避けることができる。また、図５の表示に加え、購入者が予め選択した自治体の名称を表示させてもよい。
【００２３】
ここで、本実施の形態において、例えば購入者が購入支援装置２００（位置特定処理手段２３０）が特定した自治体を発売元としなかった場合には購入することができない。また、実施の形態１と同様に、購入支援装置２００（位置特定処理手段２３０）が発売元となる自治体を特定できなかった場合においても購入することができない。
【００２４】
実施の形態３．
上述した実施の形態１、２では携帯端末装置１００からの購入について説明した。本発明は、携帯端末装置１００において特に効果を発揮することができるが、携帯端末装置１００に限定するものではなく、ネットワーク４００を介して購入支援装置２００と通信を行うことができる端末装置であればよい。
【符号の説明】
【００２５】
１００  携帯端末装置
１１０  携帯情報処理部
１２０  携帯位置検出部
１３０  携帯入力部
１４０  携帯表示部
１５０  携帯通信部
２００  購入支援装置
２１０  購入支援処理手段
２２０  決済処理手段
２３０  位置特定処理手段
２４０  装置通信手段
２５０  購入記憶手段
３００  位置記憶装置
４００  ネットワーク
【図１】
2014038493.tif 000003
【図２】
2014038493.tif 000004
【図３】
2014038493.tif 000005
【図４】
2014038493.tif 000006
【図５】
2014038493.tif 000007